【手続補正書】
【提出日】令和1年5月10日(2019.5.10)
【手続補正１】
【補正対象書類名】明細書
【補正対象項目名】００６８
【補正方法】変更
【補正の内容】
【００６８】
図２には、キャピラリー膜システム２の下部に配置されているドレナージホース１５も図示されているドレナージホースは、その壁にパーフォレーションを有しているため、例えば、創傷内に溜まった浸出液などをこのドレナージホースを介して吸引し、創傷から取り除くことができる。ドレナージホース１５は、同様に、上側１１の相応に適合させた開口部を介してポケット形創傷被覆材１０から外へ引き出され、負圧ユニットなど（図示されていない）に接続可能である。本開示の実施態様の一部を以下の［項目１］−［項目１５］に記載する。
［項目１］
全血から血清を取得するための装置を備える血清による創傷治療システムであって、前記装置は、
前記全血を収容し、前記全血を凝固して、血液の細胞成分を含む固形成分と、前記血清を含む液体とに分離するための血液バッグであって、前記血液バックは、前記液体を前記血液バッグから排出するための出口を有し、前記出口の部分には、前記固形成分の少なくとも大部分を保持するのに適した遮断物がある、血液バックと、
前記血液バッグの前記出口を介して前記血液バッグと流体連結しているフィルターモジュールと、を備え、
前記フィルターモジュールは、内部空間と、前記内部空間を境界する内壁を備えるハウジングとを有し、前記内壁には半透膜が配置され、前記半透膜によって前記内部空間が保持液スペースと透過液スペースに分割されており、
前記半透膜は、前記血液バッグから排出された前記液体を、前記血清を含む透過液と、前記液体に含まれる粒子成分が残留する場合のある保持液とに分離することができ、
前記フィルターモジュールは、前記血液バッグから排出された前記液体を前記保持液スペースに送り込むための注入器具と、前記保持液スペースから前記保持液を排出するための保持液出口と、前記透過液スペースから前記透過液を排出するための透過液出口と、を有し、
創傷に前記透過液を配分するための創傷管理システムを更に備える創傷治療システムであり、前記創傷管理システムは、平坦に形成された第１のキャピラリー膜システムを有し、前記第１のキャピラリー膜システムは、少なくとも１つの供給ラインに接続されているため、液体が前記供給ライン及び前記第１のキャピラリー膜システムを通って流れ、創傷に供給可能であり、前記透過液出口は、前記第１のキャピラリー膜システムの少なくとも１つの供給ラインを含む透過液ラインを介して前記第１のキャピラリー膜システムに接続されている、創傷治療システム。
［項目２］
平坦に形成された第２のキャピラリー膜システムを更に含む創傷治療システムであって、前記平坦に形成された第２のキャピラリー膜システムは少なくとも１つの供給ラインに接続されているため、液体、媒体、気体及び／又はその他の物質が前記供給ライン及び前記第２のキャピラリー膜システムを通過可能であり、また前記創傷治療システムは分配容器も含み、前記第２のキャピラリー膜システムの少なくとも１つの前記供給ラインを含む前記分配容器は、前記第２のキャピラリー膜システムに取外し可能に接続されており、前記供給ラインから洗浄液を前記第２のキャピラリー膜システムに供給できることを特徴とする、項目１に記載の創傷治療システム。
［項目３］
ドレナージシステムを含む創傷治療システムであって、前記ドレナージシステムは負圧ユニットと連結可能であって、治療する創傷から前記液体を排出できることを特徴とする、項目１又は２に記載の創傷治療システム。
［項目４］
前記フィルターモジュールの前記半透膜は中空糸膜の束であって、前記保持液スペースは前記中空糸膜の内腔により形成され、前記透過液スペースは前記中空糸膜を取り囲む、前記ハウジングの前記内壁によって境界されている外部空間によって形成されることを特徴とする、項目１〜３のいずれか一項以上に記載の創傷治療システム。
［項目５］
前記中空糸膜の束は、Ｕ字形に形成されていることを特徴とする、項目４に記載の創傷治療システム。
［項目６］
前記フィルターモジュールの前記半透膜は、１０，０００〜４０，０００Ｌ／（ｍ２・ｈ・ｂａｒ）の範囲で膜貫通流量を有していることを特徴とする、項目１〜５のいずれか一項以上に記載の創傷治療システム。
［項目７］
前記フィルターモジュールの前記半透膜は、０．２μｍの公称孔径を有していることを特徴とする、項目１〜６のいずれか一項以上に記載の創傷治療システム。
［項目８］
前記第１及び／又は前記第２のキャピラリー膜システムは、互いに平行に配置されたキャピラリー膜からなるマットの形で形成されており、前記マット内の前記キャピラリー膜は、互いに間隔をあけて平行に通る接続エレメントによって相互接続されており、前記接続エレメントによって前記キャピラリー膜相互の間隔が保たれていることを特徴とする、項目１又は２に記載の創傷治療システム。
［項目９］
前記第１又は前記第２のキャピラリー膜システムの前記キャピラリー膜は、その少なくとも１つの端部がそれぞれ１つの個々の供給ラインの中に埋め込まれていることを特徴とする、項目１又は２に記載の創傷治療システム。
［項目１０］
前記第１及び／又は前記第２のキャピラリー膜システムは、それぞれ２つの供給ラインに接続されており、それぞれの前記キャピラリー膜システムの前記キャピラリー膜は、その両側の端部がそれぞれ１つの供給ラインの中に埋め込まれていることを特徴とする、項目１又は２に記載の創傷治療システム。
［項目１１］
前記第１及び／又は前記第２のキャピラリー膜システムの前記キャピラリー膜は、０．０１〜５０ｍＬ／（ｍｉｎ・ｃｍ２・ｂａｒ）の範囲で水に対する膜貫通流量を有していることを特徴とする、項目１又は２に記載の創傷治療システム。
［項目１２］
前記第１及び／又は前記第２のキャピラリー膜システムの前記キャピラリー膜は、０．２μｍの公称孔径を有していることを特徴とする、項目１又は２に記載の創傷治療システム。
［項目１３］
前記創傷治療システムは、ポケット形創傷被覆材を更に含み、前記ポケット形創傷被覆材は、その外縁部が閉じられており、上側、下側及びポケット内部を有しており、前記下側と前記上側はそれぞれ平坦な材料から形成されており、前記下側は液体透過性であり、前記第１のキャピラリー膜システム並びに必要に応じて取り付けられているドレナージシステム並びに必要に応じて取り付けられている更なるキャピラリー膜システムは、前記ポケット内部に配置されていることを特徴とする、項目１〜１２のいずれか一項以上に記載の創傷治療システム。
［項目１４］
前記ポケット形創傷被覆材の前記下側は、フリース状の平坦な材料又は半透過性の微孔性平膜から形成されていることを特徴とする、項目１３に記載の創傷治療システム。
［項目１５］
前記第１及び前記第２のキャピラリー膜システムは同一であり、唯一の供給キャピラリー膜システムを形成しており、前記供給キャピラリー膜システムは、少なくとも１つの供給ラインに接続されており、前記フィルターモジュールと前記分配容器は、前記供給キャピラリー膜システムの少なくとも１つの供給ラインを介して前記供給キャピラリー膜システムに接続されていることを特徴とする、項目１〜１４のいずれか一項以上に記載の創傷治療システム。
【手続補正２】
【補正対象書類名】特許請求の範囲
【補正対象項目名】全文
【補正方法】変更
【補正の内容】
【特許請求の範囲】
【請求項１】
全血から血清を取得するための装置を備える血清による創傷治療システムであって、前記装置は、
前記全血を収容し、前記全血を凝固して、血液の細胞成分を含む固形成分と、前記血清を含む液体とに分離するための血液バッグであって、前記血液バックは、前記液体を前記血液バッグから排出するための出口を有し、前記出口の部分には、前記固形成分の少なくとも大部分を保持するのに適した遮断物がある、血液バックと、
前記血液バッグの前記出口を介して前記血液バッグと流体連結しているフィルターモジュールと、を備え、
前記フィルターモジュールは、内部空間と、前記内部空間を境界する内壁を備えるハウジングとを有し、前記内壁には半透膜が配置され、前記半透膜によって前記内部空間が保持液スペースと透過液スペースに分割されており、
前記半透膜は、前記血液バッグから排出された前記液体を、前記血清を含む透過液と、前記液体に含まれる粒子成分が残留する場合のある保持液とに分離することができ、
前記フィルターモジュールは、前記血液バッグから排出された前記液体を前記保持液スペースに送り込むための注入器具と、前記保持液スペースから前記保持液を排出するための保持液出口と、前記透過液スペースから前記透過液を排出するための透過液出口と、を有し、
創傷に前記透過液を配分するための創傷管理システムを更に備える創傷治療システムであり、前記創傷管理システムは、平坦に形成された第１のキャピラリー膜システムを有し、前記第１のキャピラリー膜システムは、少なくとも１つの供給ラインに接続されているため、液体が前記供給ライン及び前記第１のキャピラリー膜システムを通って流れ、創傷に供給可能であり、前記透過液出口は、前記第１のキャピラリー膜システムの少なくとも１つの供給ラインを含む透過液ラインを介して前記第１のキャピラリー膜システムに接続されている、創傷治療システム。
【請求項２】
平坦に形成された第２のキャピラリー膜システムを更に含む創傷治療システムであって、前記平坦に形成された第２のキャピラリー膜システムは少なくとも１つの供給ラインに接続されているため、液体、媒体、気体及び／又はその他の物質が前記供給ライン及び前記第２のキャピラリー膜システムを通過可能であり、また前記創傷治療システムは分配容器も含み、前記第２のキャピラリー膜システムの少なくとも１つの前記供給ラインを含む前記分配容器は、前記第２のキャピラリー膜システムに取外し可能に接続されており、前記供給ラインから洗浄液を前記第２のキャピラリー膜システムに供給できることを特徴とする、請求項１に記載の創傷治療システム。
【請求項３】
ドレナージシステムを含む創傷治療システムであって、前記ドレナージシステムは負圧ユニットと連結可能であって、治療する創傷から前記液体を排出できることを特徴とする、請求項１又は２に記載の創傷治療システム。